【手続補正書】
【提出日】平成26年7月14日(2014.7.14)
【手続補正１】
【補正対象書類名】特許請求の範囲
【補正対象項目名】全文
【補正方法】変更
【補正の内容】
【特許請求の範囲】
【請求項１】
画像が印刷されたシートを積載する積載部を備えた印刷装置であって、
前記積載部の満載を検知する検知手段と、
シートの枚数の指定をユーザから受け付ける受付手段と、
前記受付手段が受け付けた枚数を前記積載部の設定として保持する保持手段と、
前記積載部へのシートの積載を開始した後、前記検知手段によって前記積載部の満載が検知されたことに応じて前記積載部へのシートの積載を止めるよう制御する制御手段と、を備え、
前記制御手段は、所定のモードが選択された場合には、前記検知手段によって前記積載部の満載が検知される前であっても前記保持手段によって保持された枚数のシートが前記積載部に積載されると前記積載部へのシートの積載を止めるよう制御することを特徴とする印刷装置。
【請求項２】
前記制御手段は、前記所定のモードが選択された場合に、前記保持手段によって保持された枚数のシートが前記積載部に積載される前であっても前記検知手段によって前記積載部の満載が検知されると前記積載部へのシートの積載を止めるよう制御することを特徴とする請求項１に記載の印刷装置。
【請求項３】
前記所定のモードが選択され、前記保持手段によって保持された枚数のシートが前記積載部に積載される前に前記検知手段によって前記積載部の満載が検知された場合に、所定の通知を行う通知手段を更に備えることを特徴とする請求項１又は２に記載の印刷装置。
【請求項４】
前記通知手段は、所定の設定を行うようにユーザに促す内容のメッセージを表示することを特徴とする請求項３に記載の印刷装置。
【請求項５】
前記所定の設定は、カール補正であることを特徴とする請求項４に記載の印刷装置。
【請求項６】
画像が印刷されたシートを積載する積載部を備えた印刷装置であって、
前記積載部の満載を検知する検知手段と、
第１モード又は第２モードを選択する選択手段と、
シートの枚数の指定をユーザから受け付ける受付手段と、
前記受付手段が受け付けた枚数を前記積載部の設定として保持する保持手段と、
前記選択手段によって前記第１モードが選択された場合は、前記検知手段によって前記積載部の満載が検知されたことに応じて前記積載部へのシートの積載を止めるよう制御し、前記選択手段によって前記第２モードが選択された場合は、前記保持手段によって保持された枚数のシートが前記積載部に積載されたことに応じて前記積載部へのシートの積載を止めるよう制御する制御手段と、
を備えることを特徴とする印刷装置。
【請求項７】
前記制御手段は、前記第２モードが選択された場合に、前記保持手段によって保持された枚数のシートが前記積載部に積載される前であっても前記検知手段によって前記積載部の満載が検知されると前記積載部へのシートの積載を止めるよう制御することを特徴とする請求項６に記載の印刷装置。
【請求項８】
前記第２モードが選択され、前記保持手段によって保持された枚数のシートが前記積載部に積載される前に前記検知手段によって前記積載部の満載が検知された場合に、所定の通知を行う通知手段を更に備えることを特徴とする請求項６又は７に記載の印刷装置。
【請求項９】
前記通知手段は、所定の設定を行うようにユーザに促す内容のメッセージを表示することを特徴とする請求項８に記載の印刷装置。
【請求項１０】
前記所定の設定は、カール補正であることを特徴とする請求項９に記載の印刷装置。
【請求項１１】
画像が印刷されたシートを積載する積載部を備えた印刷装置の制御方法であって、
前記積載部の満載を検知する検知工程と、
シートの枚数の指定をユーザから受け付ける受付工程と、
前記受付工程で受け付けた枚数を前記積載部の設定として保持する保持工程と、
前記積載部へのシートの積載を開始した後、前記検知工程で前記積載部の満載が検知されたことに応じて前記積載部へのシートの積載を止めるよう制御する制御工程と、を備え、
前記制御工程では、所定のモードが設定された場合には、前記検知工程で前記積載部の満載が検知される前であっても前記保持工程で保持された枚数のシートが前記積載部に積載されると前記積載部へのシートの積載を止めるよう制御することを特徴とする印刷装置の制御方法。
【請求項１２】
画像が印刷されたシートを積載する積載部を備えた印刷装置の制御方法であって、
前記積載部の満載を検知する検知工程と、
第１モード又は第２モードを選択する選択工程と、
シートの枚数の指定をユーザから受け付ける受付工程と、
前記受付工程で受け付けた枚数を前記積載部の設定として保持する保持工程と、
前記選択工程で前記第１モードが選択された場合は、前記検知工程で前記積載部の満載が検知されたことに応じて前記積載部へのシートの積載を止めるよう制御し、前記選択工程で前記第２モードが選択された場合は、前記保持工程で保持された枚数のシートが前記積載部に積載されたことに応じて前記積載部へのシートの積載を止めるよう制御する制御工程と、
を備えることを特徴とする印刷装置の制御方法。
【請求項１３】
コンピュータを請求項１乃至１０のいずれか１項に記載の印刷装置の各手段として機能させるためのプログラム。
【手続補正２】
【補正対象書類名】明細書
【補正対象項目名】発明の名称
【補正方法】変更
【補正の内容】
【発明の名称】印刷装置、印刷装置の制御方法、及びプログラム
【手続補正３】
【補正対象書類名】明細書
【補正対象項目名】０００１
【補正方法】変更
【補正の内容】
【０００１】
本発明は、画像が印刷されたシートを積載する積載部を備えた印刷装置、印刷装置の制御方法、及びプログラムに関するものである。
【手続補正４】
【補正対象書類名】明細書
【補正対象項目名】０００６
【補正方法】変更
【補正の内容】
【０００６】
本発明の目的は、積載部が満載になったことに応じてシートの積載を止めるか、指定された枚数のシートが積載されたことに応じてシートの積載を止めるかを、選択されたモードに応じて制御する仕組みを提供することにある。
【手続補正５】
【補正対象書類名】明細書
【補正対象項目名】０００７
【補正方法】変更
【補正の内容】
【０００７】
上記目的を達成するために本発明の一態様に係る印刷装置は以下のような構成を備える。即ち、
画像が印刷されたシートを積載する積載部を備えた印刷装置であって、前記積載部の満載を検知する検知手段と、シートの枚数の指定をユーザから受け付ける受付手段と、前記受付手段が受け付けた枚数を前記積載部の設定として保持する保持手段と、前記積載部へのシートの積載を開始した後、前記検知手段によって前記積載部の満載が検知されたことに応じて前記積載部へのシートの積載を止めるよう制御する制御手段と、を備え、前記制御手段は、所定のモードが選択された場合には、前記検知手段によって前記積載部の満載が検知される前であっても前記保持手段によって保持された枚数のシートが前記積載部に積載されると前記積載部へのシートの積載を止めるよう制御することを特徴とする。
また本発明の印刷装置は、画像が印刷されたシートを積載する積載部を備えた印刷装置であって、前記積載部の満載を検知する検知手段と、第１モードまたは第２モードを選択する選択手段と、シートの枚数の指定をユーザから受け付ける受付手段と、前記受付手段が受け付けた枚数を前記積載部の設定として保持する保持手段と、前記選択手段によって前記第１モードが選択された場合は、前記検知手段によって前記積載部の満載が検知されたことに応じて前記積載部へのシートの積載を止めるよう制御し、前記選択手段によって前記第２モードが選択された場合は、前記保持手段によって保持された枚数のシートが前記積載部に積載されたことに応じて前記積載部へのシートの積載を止めるよう制御する制御手段と、を備えることを特徴とする。
【手続補正６】
【補正対象書類名】明細書
【補正対象項目名】０００８
【補正方法】変更
【補正の内容】
【０００８】
本発明によれば、積載部が満載になったことに応じてシートの積載を止めるか、指定された枚数のシートが積載されたことに応じてシートの積載を止めるかを、選択されたモードに応じて制御することが可能となる。
【手続補正７】
【補正対象書類名】明細書
【補正対象項目名】００４０
【補正方法】変更
【補正の内容】
【００４０】
制御部２０５は、図７の表示を介して、対象のジョブで印刷されたシートに対して、シート処理装置２００により実行すべきシート処理の実行要求を受付可能にする。但し、制御部２０５は、図７で選択可能なシート処理装置の候補は、この印刷システム１０００が如何なるシート処理装置を具備するのか、その装備状況に応じて決定する。例えば、図７では、プリンタ部２０３により印刷されたシートに対して、図７に示す複数種類のシート処理のうちの何れかの実行要求をユーザから受付け可能にしている。
【手続補正８】
【補正対象書類名】明細書
【補正対象項目名】００４２
【補正方法】変更
【補正の内容】
【００４２】
このような制御を実行するうえで、制御部２０５は、如何なるシート処理装置を、シート処理装置２００として印刷システム１０００が具備しているかを特定するシステム構成情報を獲得する。また、そのシート処理装置２００でエラーが発生しているか否か等を示すステータス情報等も取得して制御の際に利用する。これらの情報を制御部２０５は、例えば、ＵＩ部を介してユーザが手動で入力することにより取得するか、或いはシート処理装置２００が印刷装置１００に接続された際に、シート処理装置自身が信号線を介して出力する信号に基いて自動的に獲得しても良い。このような構成を前提とし、制御部２０５は、その獲得した情報に基いた内容の表示をタッチパネル部４０１に表示させる。
【手続補正９】
【補正対象書類名】明細書
【補正対象項目名】００５２
【補正方法】変更
【補正の内容】
【００５２】
尚、図１１には示していないが、図８のように複数の大容量スタッカが接続されている場合、どの大容量スタッカに排紙して収容するかを指定するためのスタッカ指定欄を図１１の画面に設けても良い。又或いは、１つの大容量スタッカ内に複数の積載部（トレイ）がある場合（図９）、どのトレイに排紙して収容するかを指定するためのトレイ指定欄を図１１の画面に設けても良い。